(57)【特許請求の範囲】
【請求項１】
液晶分子の配向状態がスプレイ配向から画像を表示可能なベンド配向に転移するように初期化される液晶表示素子部と、初期化において液晶分子の配向状態をスプレイ配向からベンド配向に転移させる転移電圧を液晶表示素子部に印加する駆動回路とを備え、前記液晶表示素子部は、複数の画素電極が配向膜で覆われてマトリクス状に配置される第１電極基板、対向電極が配向膜で覆われて前記複数の画素電極に対向するように配置される第２電極基板、および各配向膜に隣接して前記第１および第２電極基板間に挟持される液晶層からなり各々対応画素電極の範囲で画素を構成する複数の液晶表示素子を含み、前記駆動回路は前記液晶表示素子部に前記液晶分子の配向状態を整える一定な所定値のリセット電圧を供給するとともに、前記転移電圧を供給する転移期間を少なくとも前半後半の２つの転移期間に設定し、前半の転移期間においては第１の極性の転移電圧となる第１極性電圧を、後半の転移期間では第１の極性とは異なる第２の極性の転移電圧となる第２極性電圧を発生させて交互に前記対向電極に印加させる転移電圧設定手段を含み、前記転移電圧は各画素電極の電位に対して前記対向電極の電位をシフトさせるように前記対向電極に印加されることを特徴とする液晶表示装置。
【請求項２】
前記リセット電圧は前記第１極性電圧および前記第２極性電圧に先だって前記液晶表示素子部に印加されることを特徴とする請求項１に記載の液晶表示装置。
【請求項３】
前記転移電圧設定手段は前記第１極性電圧の印加期間と前記第２極性電圧の印加期間との間に休止期間を設け、前記休止期間に前記リセット電圧に略等価な所定電圧を前記液晶表示素子部に印加するように構成されることを特徴とする請求項１に記載の液晶表示装置。
【請求項４】
前記前半後半の転移期間を互いに異なる期間に設定するとともに前記第１および第２極性電圧の絶対値を相違させることを特徴とする請求項１に記載の液晶表示装置。
【請求項５】
前記第１極性電圧をこの第１極性電圧の印加期間について積分した積分値と前記第２極性電圧をこの第２極性電圧の印加期間について積分した積分値とは互いに等しいことを特徴とする請求項１に記載の液晶表示装置。
【請求項６】
前記リセット電圧は白表示用の電圧と同等であることを特徴とする請求項１に記載の液晶表示装置。
【請求項７】
前記液晶表示素子部は、複数の画素電極が配向膜で覆われてマトリクス状に配置される第１電極基板、対向電極が配向膜で覆われて前記複数の画素電極に対向するように配置される第２電極基板、および各配向膜に隣接して前記第１および第２電極基板間に挟持される液晶層からなり各々対応画素電極の範囲で画素を構成する複数の液晶表示素子を含み、前記リセット電圧は前記画素電極に結合される補助容量に対して印加される補償電圧および前記画素電極に印加される画素電圧に一致させて前記対向電極に印加されることを特徴とする請求項１に記載の液晶表示装置。
【請求項８】
前記リセット電圧は画素電圧を最大にするための基準電圧の略１／２であることを特徴とする請求項７に記載の液晶表示装置。
【請求項９】
前記液晶表示素子部は、複数の画素電極が配向膜で覆われてマトリクス状に配置される第１電極基板、対向電極が配向膜で覆われて前記複数の画素電極に対向するように配置される第２電極基板、および各配向膜に隣接して前記第１および第２電極基板間に挟持される液晶層からなり各々対応画素電極の範囲で画素を構成する複数の液晶表示素子を含み、前記第１電極基板は前記複数の画素電極の行に沿って配置される複数のゲート線、前記複数の画素電極の列に沿って配置される複数のソース線、並びに前記複数のゲート線および前記複数のソース線の交差位置付近に画素スイッチとして配置される複数の薄膜トランジスタを含み、前記駆動回路は前記リセット電圧の印加期間において前記複数のゲート線を駆動するゲート線駆動手段を含むことを特徴とする請求項１に記載の液晶表示装置。
【請求項１０】
前記ゲート線駆動手段は前記複数の薄膜トランジスタを行単位に分散して導通させるように構成されることを特徴とする請求項９に記載の液晶表示装置。
【請求項１１】
前記ゲート線駆動手段は前記複数のゲート線を１本ずつ駆動するように構成されることを特徴とする請求項９に記載の液晶表示装置。
【請求項１２】
前記ゲート線駆動手段は前記複数のゲート線を所定本ずつ駆動するように構成されることを特徴とする請求項９に記載の液晶表示装置。
【請求項１３】
前記ゲート線駆動手段は複数のゲート線の全てを一緒に駆動するように構成されることを特徴とする請求項９に記載の液晶表示装置。
【請求項１４】
前記転移電圧設定手段は前記液晶表示素子部の周囲温度を検出しこの検出温度に対応して前記転移電圧および前記リセット電圧の合計印加期間および前記転移電圧の電圧振幅の少なくとも一方を変化させるように構成されることを特徴とする請求項１に記載の液晶表示装置。
【請求項１５】
前記駆動回路は前記転移電圧の印加期間において前記対向電極の電位に対して前記画素電極の電位をシフトさせる交流の擾乱電圧を前記画素電極に印加させる擾乱駆動手段を含むことを特徴とする請求項１に記載の液晶表示装置。
【請求項１６】
前記擾乱電圧の極性変化周期は前記転移電圧の極性変化周期よりも短いことを特徴とする請求項１５に記載の液晶表示装置。
【請求項１７】
前記駆動回路は前記転移電圧の印加を開始させるクロック信号を前記駆動回路に対する電力供給に伴って発生する発振手段を備えることを特徴とする請求項１に記載の液晶表示装置。
【請求項１８】
前記発振手段は前記液晶表示素子部の周囲温度を検出するサーミスタを含み、少なくとも前記転移電圧の印加期間を変化させるマルチバイブレータにより構成されることを特徴とする請求項１７に記載の液晶表示装置。
【発明の詳細な説明】
【技術分野】
【０００１】  本発明は、画像を表示するためにＯＣＢ（Ｏｐｔｉｃａｌｌｙ  Ｃｏｍｐｅｎｓａｔｅｄ  Ｂｅｎｄ）液晶表示素子を用いる液晶表示装置に関する。
【背景技術】
【０００２】  液晶表示装置は、複数のＯＣＢ液晶表示素子のマトリクスアレイを構成する液晶表示パネルを備える。液晶表示パネルは、複数の画素電極が配向膜で覆われてマトリクス状に配置されるアレイ基板、対向電極が配向膜で覆われて複数の画素電極に対向するように配置される対向基板、および各配向膜に隣接してアレイ基板および対向基板基板間に挟持される液晶層を含み、さらに一対の偏光板を光学位相差板を介してアレイ基板および対向基板に貼り付けた構造を有する（例えば特開平９−１８５０３２号公報を参照）。ここでは、各ＯＣＢ液晶表示素子は各々対応画素電極の範囲において画素を構成する。このようなＯＣＢ液晶表示素子では、通常の駆動電圧とは異なる転移電圧を印加することにより液晶分子の配向状態をスプレイ配向から画像を表示可能なベンド配向へ転移させる必要がある。【０００３】
図３５は、従来の液晶表示装置９０の構成例を示す。この液晶表示装置９０では、電源回路３４、コントローラ３７、ソースドライバ３８、ゲートドライバ３９、対向電極ドライバ４０、および転移電圧設定部９７等が液晶表示(ＬＣＤ)パネル４１に配置された複数のＯＣＢ液晶表示素子のマトリクスアレイを駆動するためにさらに設けられている。
【０００４】
図３６はこの液晶表示装置９０の動作を示す。電源回路３４がオンになると、転移電圧設定部９７が転移期間５の間、液晶分子の配向状態をスプレイ配向からベンド配向へ転移させるための転移電圧９２を設定し、コントローラ３７がこの転移電圧９２をこれらＯＣＢ液晶表示素子に印加するためにソースドライバ３８、ゲートドライバ３９および対向電極ドライバ４０を制御する。複数のＯＣＢ液晶表示素子に印加する。転移電圧９２は、正または負の極性を有する直流電圧である。転移期間５に続く表示期間８では、コントローラ３７が同期信号に同期した表示信号に対応する画像をこれらＯＣＢ液晶表示素子に表示させるためにソースドライバ３８、ゲートドライバ３９および対向電極ドライバ４０を制御する。
【０００５】  しかしながら、上述の構成では、転移電圧９２が電源投入直後の転移期間５において直流電圧としてＯＣＢ液晶表示素子に印加されるため、この転移電圧の印加が電源投入毎に繰り返されると、次第に液晶分子の配向状態がスプレイ配向からベンド配向へ完全に転移しなくなるという問題がある。【０００６】  また、転移電圧が直流電圧であると、転移期間５に続く表示期間８においてＯＣＢ液晶表示素子を交流駆動する際に交流化の基準電圧値がずれるために、画像の表示品質がフリッカにより悪化するという問題がある。
【発明の開示】
【０００７】  本発明の目的は、上述した問題を解消して、画像の表示品質を向上させることができる液晶表示装置を提供することにある。
【０００８】  本発明によれば、液晶分子の配向状態がスプレイ配向から画像を表示可能なベンド配向に転移するように初期化される液晶表示素子部と、初期化において液晶分子の配向状態をスプレイ配向からベンド配向に転移させる転移電圧を液晶表示素子部に印加する駆動回路とを備え、この駆動回路が転移電圧を第１極性およびこの第１極性とは逆の第２極性に交互に設定する転移電圧設定部を含む液晶表示装置が提供される。
【０００９】  この液晶表示装置では、転移電圧が第１極性および第２極性に交互に設定されて液晶表示素子部に印加されるため、この転移電圧の印加により液晶分子の配向状態をスプレイ配向からベンド配向に転移させる初期化において生じる液晶分子の偏在化を防止して画像の表示品質を向上させることができる。
【図面の簡単な説明】
【００１０】［図１］図１は、本発明の第１実施形態に係る液晶表示装置の回路構成を概略的に示す図である。
［図２］図２は、図１に示す液晶表示パネルの部分的な断面構造を示す図である。
［図３］図３は、図２に示す断面構造により１画素分の表示を行うＯＣＢ液晶表示素子の回路構成を示す図である。
［図４］図４は、図３に示すＯＣＢ液晶表示素子において液晶印加電圧として印加される転移電圧によりスプレイ配向からベンド配向に転移する液晶分子の配向状態を示す図である。
［図５］図５は、図１に示す液晶表示装置の動作を示す波形図である。
［図６］図６は、図１に示す駆動回路の第１変形例で得られる動作を示す波形図である。
［図７］図７は、図１に示す駆動回路の第２変形例で得られる動作を示す波形図である。
［図８］図８は、図１に示す駆動回路の第３変形例で得られる動作を示す波形図である。
［図９］図９は、図１に示す駆動回路の第４変形例で得られる動作を示す波形図である。
［図１０］図１０は、図１に示す駆動回路の第５変形例で得られる動作を示す波形図である。
［図１１］図１１は、図１に示す駆動回路の第６変形例で得られる動作を示す波形図である。
［図１２］図１２は、図１に示す駆動回路の第７変形例で得られる動作を示す波形図である。
［図１３］図１３は、図１に示す駆動回路の第８変形例で得られる動作を示す波形図である。
［図１４］図１４は、図１に示す駆動回路の第９変形例で得られる動作を示す波形図である。
［図１５］図１５は、図１に示す駆動回路の第１０変形例で得られる動作を示す波形図である。
［図１６］図１６は、図１に示す駆動回路の第１１変形例で得られる動作を示す波形図である。
［図１７］図１７は、図１６に示す動作において対向電極に印加される電圧波形と画素電極に印加それる電圧波形とを示す波形図である。
［図１８］図１８は、図１６に示す動作においてドット反転駆動される画素の配置を示す平面図である。
［図１９］図１９は、図１に示す駆動回路の第１２変形例で得られる動作を示す波形図である。
［図２０］図２０は、図１に示す駆動回路の第１３変形例で得られる動作を示す波形図である。
［図２１］図２１は、本発明の第２実施形態に係る液晶表示装置の構成を示すブロック図である。
［図２２］図２２は、図２１に示す液晶表示装置に設けられた対向電極ドライバの構成を示す回路図である。
［図２３］図２３は、図２１に示す液晶表示装置の動作を説明するための波形図である。
［図２４］図２４は、図２１に示す駆動回路の第１変形例に設けられる他のフリッカ補正回路および他の対向電極ドライバの構成を示す回路図である。
［図２５］図２５は、図２１に示す駆動回路の第１変形例で得られる動作を示す波形図である。
［図２６］図２６は、本発明の第３実施形態に係る液晶表示装置の構成を示すブロック図である。
［図２７］図２７は、図２６に示す液晶表示装置の動作を示す波形図である。
［図２８］図２８は、図２６に示す駆動回路の第１変形例で得られる動作を示す波形図である。
［図２９］図２９は、図２６に示す駆動回路の第２変形例に設けられる他の転移電圧極性記憶回路の構成を示す回路図である。
［図３０］図３０は、図２６に示す駆動回路の第２変形例で得られる動作を示す波形図である。
［図３１］図３１は、図１に示す発振部および温度検出器として機能するマルチバイブレータの回路構成を示す図である。
［図３２］図３２は、抵抗Ｒ２，Ｒ３＝１８ｋΩの場合に図３１に示すマルチバイブレータから出力されるクロック信号の例を示す図である。
［図３３］図３３は、抵抗Ｒ２，Ｒ３＝３６ｋΩの場合に図３１に示すマルチバイブレータから出力されるクロック信号の例を示す図である。
［図３４］図３４は図３１に示すマルチバイブレータにおいて温度変化に伴って変化する周波数のクロック信号を示す図である。
［図３５］図３５は、従来の液晶表示装置の構成を示すブロック図である。
［図３６］図３６は、図３５に示す液晶表示装置の動作を示す波形図である。
【発明を実施するための最良の形態】
【００１１】  以下、図面を参照して本発明の第１実施形態を説明する。【００１２】  （第１実施形態）
図１はこの液晶表示装置１００の回路構成を概略的に示し、図２は図１に示す液晶表示（ＬＣＤ）パネル４１の部分的な断面構造を示し、図３は図２に示す断面構造により１画素分の表示を行うＯＣＢ液晶表示素子ＰＸの回路構成を示す。【００１３】  この液晶表示装置１００は例えばＴＶセットや携帯電話等において外部信号源となる画像情報処理ユニットＳＧに接続される。画像情報処理ユニットＳＧは画像情報処理を行って同期信号および表示信号を液晶表示装置１００に供給する。また、液晶表示装置の電源電圧も画像情報処理ユニットＳＧから液晶表示装置１００に供給される。【００１４】  液晶表示装置１００は複数のＯＣＢ液晶表示素子ＰＸのマトリクスアレイ（液晶表示素子部）を構成するＬＣＤパネル４１、ＬＣＤパネル４１を照明するバックライトＢＬ、およびＬＣＤパネル４１およびバックライトＢＬを駆動する駆動回路ＤＲを備える。ＬＣＤパネル４１はアレイ基板ＡＲ、対向基板ＣＴ、および液晶層ＬＱを含む。アレイ基板ＡＲはガラス板等からなる透明絶縁基板ＧＬ、この透明絶縁基板ＧＬ上に形成される複数の画素電極ＰＥ、およびこれら画素電極ＰＥを覆う配向膜ＡＬを含む。対向基板ＣＴはガラス板等からなる透明絶縁基板ＧＬ、この透明絶縁基板ＧＬ上に形成されるカラーフィルタ層ＣＦ、このカラーフィルタ層ＣＦ上に形成される対向電極ＣＥ、およびこの対向電極ＣＥを覆う配向膜ＡＬを含む。液晶層ＬＱは対向基板ＣＴとアレイ基板ＡＲの間隙に液晶を充填することにより得られる。カラーフィルタ層ＣＦは赤画素用の赤着色層、緑画素用の緑着色層、青画素用の青着色層、およびブラックマトリクス用の黒着色（遮光）層を含む。また、ＬＣＤパネル４１はアレイ基板ＡＲおよび対向基板ＣＴの外側に配置される一対の位相差板ＲＴ、およびこれら位相差板ＲＴの外側に配置される一対の偏光板ＰＬを備える。バックライトＢＬは、光源としてアレイ基板ＡＲ側の偏光板ＰＬの外側に配置される。アレイ基板ＡＲ側の配向膜ＡＬおよび対向基板ＣＴ側の配向膜ＡＬは互いに平行にラビング処理される。【００１５】  アレイ基板ＡＲでは、複数の画素電極ＰＥが透明絶縁基板ＧＬ上において略マトリクス状に配置される。また、複数のゲート線２９（Ｙ１〜Ｙｍ）が複数の画素電極ＰＥの行に沿って配置され、複数のソース線２６（Ｘ１〜Ｘｎ）が複数の画素電極ＰＥの列に沿って配置される。これらゲート線２９およびソース線２６の交差位置近傍には、複数の画素スイッチ２７が配置される。各画素スイッチ２７は、例えばゲート線２９に接続されるゲート２８およびソース線２６および画素電極ＰＥ間に接続されるソース−ドレインパスを有する薄膜トランジスタからなり、対応ゲート線２９を介して駆動されたときに対応ソース線２６および対応画素電極ＰＥ間で導通する。【００１６】  複数の液晶表示素子ＰＸの各々は画素電極ＰＥおよび対向電極ＣＥ間に液晶容量Ｃｌｃを有する。複数の補助容量線Ｃｓｔ（Ｃ１〜Ｃｍ）の各々は対応行の液晶表示素子ＰＸの画素電極ＰＥに容量結合して補助容量Ｃｓを構成する。補助容量Ｃｓは画素スイッチ２７の寄生容量に対して十分大きな容量値を有する。【００１７】  駆動回路ＤＲはアレイ基板ＡＲおよび対向基板ＣＴから��晶層ＬＱに印加される液晶印加電圧によりＬＣＤパネル４１の透過率を制御するように構成される。各ＯＣＢ液晶表示素子ＰＸは対応画素電極ＰＥの範囲において画素を構成する。このようなＯＣＢ液晶表示素子ＰＸでは、通常の駆動電圧とは異なる転移電圧を印加することにより液晶分子の配向状態をスプレイ配向から画像を表示可能なベンド配向へ転移させる必要がある。このため、駆動回路ＤＲは電源投入毎に転移電圧を液晶印加電圧として液晶層ＬＱに印加することにより液晶分子の配向状態をスプレイ配向からベンド配向へ転移させる初期化を行うように構成されている。本明細書において「ＯＣＢ」とは、ベンド配向による複屈折を光学的に補償することを意味する。光学的に補正された配向を実現するための構成の例としては、液晶材料／配向膜／光学フィルム等がある。「ＯＣＢ液晶表示素子」とは、光学的に補正された配向状態において画像を表示する液晶表示素子を意味する。【００１８】  駆動回路ＤＲは、具体例として、複数のスイッチング素子２７を行単位に導通させるように複数のゲート線２９を順次駆動するゲートドライバ３９、各行のスイッチング素子２７が対応ゲート線２９の駆動によって導通する期間において画素電圧Ｖｓを複数のソース線２６にそれぞれ出力するソースドライバ３８、ＬＣＤパネル４１の対向電極ＣＥを駆動する対向電極ドライバ４０、バックライトＢＬを駆動するバックライト駆動部９、ゲートドライバ３９、ソースドライバ３８、対向電極ドライバ４０、およびバックライト駆動部９を制御するコントローラ３７、並びに画像情報処理ユニットＳＧから駆動回路ＤＲに供給される電力（具体的には、電源電圧）からこれらゲートドライバ３９、ソースドライバ３８、対向電極ドライバ４０、バックライト駆動部９、およびコントローラ３７に必要とされる複数の内部電源電圧を発生する電源回路３４を備える。【００１９】  コントローラ３７は、画像情報処理ユニットＳＧから入力される同期信号に基づいて発生される垂直タイミング制御信号をゲートドライバ３９に出力し、画像情報処理ユニットＳＧから入力される同期信号および表示信号に基づいて発生される水平タイミング制御信号および１水平ライン分の画素データをソースドライバ３８に出力し、さらにバックライト駆動部９に点灯制御信号を出力する。ゲートドライバ３９は垂直タイミング制御信号の制御により１フレーム期間において順次複数のゲート線２９を選択し、各行の画素スイッチ２７を１水平走査期間Ｈだけ導通させるゲート駆動電圧を選択ゲート線２９に出力する。ソースドライバ３８は水平タイミング制御信号の制御によりゲート駆動電圧が選択ゲート線２９に出力される１水平走査期間Ｈに１水平ライン分の画素データを画素電圧Ｖにそれぞれ変換して複数のソース線２６に並列的に出力する。【００２０】  画素電圧Ｖｓは対向電極ドライバ４０から対向電極ＣＥに出力されるコモン電圧Ｖｃｏｍを基準として画素電極ＰＥに印加される電圧であり、例えばフレーム反転駆動およびフレーム反転駆動、およびライン反転駆動の様にコモン電圧Ｖｃｏｍに対して極性反転される。また、ゲートドライバ３９は１行分のスイッチング素子２７が非導通となるときにこれらスイッチング素��２７に接続されるゲート線２９に対応した補助容量線Ｃｓｔに補償電圧Ｖｃｓを印加し、これらスイッチング素子２７の寄生容量によって１行分の液晶表示素子ＰＸに生じる画素電圧Ｖｓの変動を補償する。【００２１】  この液晶表示装置１００では、駆動回路ＤＲが液晶分子の配向状態を図４に示すようなスプレイ配向からベンド配向へ転移させる転移電圧を液晶印加電圧として各液晶表示素子ＰＸに印加するための転移電圧設定処理を行う転移電圧設定部１を備える。転移電圧は、対向電極ドライバ４０から出力されるコモン電圧Ｖｃｏｍにより決定される対向電極ＣＥの電位がソースドライバ３８から出力される画素電圧Ｖｓにより決定される画素電極ＰＥの電位に対して所定の形式でシフトするように設定される。【００２２】  また、駆動回路ＤＲには、発振部１８が転移電圧設定部１に供給されるクロック信号を発生するために設けられている。このクロック信号は転移電圧設定部１で行われる転移電圧設定処理において転移電圧の印加を開始させてこの転移電圧の印加期間を計測する基準として用いられる。また、温度検出器３６がＬＣＤパネル４１に配置された複数のＯＣＢ液晶表示素子ＰＸのマトリクスアレイの周辺の温度を検出するために設けられている。【００２３】  液晶表示装置１００は画像情報処理ユニットＳＧから駆動回路ＤＲに供給される電源電圧により図５に示すように動作する。【００２４】  電源回路３４はこの電源電圧を複数の内部電源電圧に変換してコントローラ３７、ソースドライバ３８、ゲートドライバ３９、対向電極ドライバ４０、およびバックライト駆動部９等に供給する。発振部１８は電源回路３４からの電源電圧に応答してクロック信号をコントローラ３７を介して転移電圧設定部１に供給する。転移電圧設定部１は転移電圧設定処理を行って、このクロック信号の供給タイミングから転移電圧を液晶印加電圧として各液晶表示素子ＰＸに印加させる。転移電圧設定処理では、転移電圧が転移期間５において液晶分子の配向状態をスプレイ配向からベンド配向に実質的に転移させる異なる極性の値に交互に変化する。ここでは、転移期間５が互いにほぼ等しい前半転移期間６および後半転移期間７を含み、転移電圧２が前半転移期間６において正極性である第１極性電圧３に設定され、後半転移期間７において負極性である第２極性電圧４に設定される。この場合、画素電圧Ｖｓは固定され、対向電極ドライバ４０から出力されるコモン電圧Ｖｃｏｍが上述の転移電圧２を得るように可変される。転移電圧設定部１は転移期間５の経過をクロック信号を計数することにより確認すると、転移電圧設定処理を終了する。【００２５】
これに続く表示期間８では、コントローラ３７が対向電極ドライバ４０から出力されるコモン電圧Ｖcomを固定し、画素電圧Ｖsを画素データに対応して可変させて得られる液晶印加電圧を各液晶表示素子ＰＸに印加するようソースドライバ３８、ゲートドライバ３９、および対向電極ドライバ４０を制御する。これにより、複数の液晶表示素子ＰＸのマトリクスアレイが画像を表示可能となる。上述の動作は、駆動回路ＤＲに対する電源電圧の供給停止に伴って終了し、この電源電圧が再び供給されたときに同様に繰り返される。
【００２６】
上述の第１実施形態によれば、液晶分子の配向状態をスプレイ配向からベンド配向へ転移させるためにＯＣＢ液晶表示素子ＰＸに印加される転移電圧２は、正極性である第１極性値３とこれに対して逆の負極性である第２極性電圧４に交互に設定される。すなわち、転移電圧２が交流化されて、液晶分子の配向状態をスプレイ配向からベンド配向へ転移させるために各液晶表示素子ＰＸに印加される。従って、液晶分子の配向状態をスプレイ配向からベンド配向に転移させる初期化において生じる液晶分子の偏在化を防止できる。この結果、液晶分子の配向状態をスプレイ配向からベンド配向へ完全に転移させると共に、ＯＣＢ液晶表示素子ＰＸのマトリクスアレイによって表示される画像のフリッカを低減することができる。また、転移電圧設定部１が転移電圧を得るために対向電極ＣＥのコモン電圧をシフトさせる構成であるため、この転移電圧をソースドライバ３８の耐圧に関係なく大きな値にすることが可能である。
【００２７】
また、発振部１８からの出力がコントローラ３７のクロック端子へ接続され、画像処理ユニットＳＧが完全に起動するまでの間に、転移電圧設定部１からコントローラ３７を介して転移制御信号を出力させ、ＯＣＢ液晶表示素子ＰＸへ転移電圧を印加するようにすることが好ましい。これにより、例えば画像処理ユニットＳＧから同期信号のようなクロック信号を受け取るまでに時間を要する場合であっても、予め発振部１８からのクロック信号でコントローラ３７を動作させることができ、スプレイ配向をベンド配向に転移させる初期化の開始を早めて、初期化の完了までに要する時間を短縮することができる。
【００２８】  また、転移期間５は温度検出器３６によって検出される周囲の温度が常温よりも低くなったときを長く設定するようにすることが好ましい。低温時における転移を確実にすることができる。ちなみに、転移の温度依存性は、周囲温度に対応して転移期間５の長さおよび転移電圧の電圧振幅の少なくとも一方を変化させることにより解消できる。【００２９】  図６は、駆動回路ＤＲの第１変形例で得られる動作を示す。図５と同様の構成要素は図６において同一の参照符号で表され、その詳細な説明を省略する。この変形例の駆動回路ＤＲは、転移期間５が図５に示す前半転移期間６と後半転移期間７を含む替わりに、図６に示すように前半転移期間６Ａと後半転移期間７Ａとを含むように構成されている点で相違する。正極性である第１極性電圧３が印加される前半転移期間６Ａは、負極性である第２極性電圧４が印加される後半転移期間７Ａよりも長い。前半転移期間６Ａにおいて印加される第１極性電圧３の絶対値は、後半転移期間７Ａにおいて印加される第２極性電圧４の絶対値よりも大きい。【００３０】  前半転移期間６Ａの長さと後半転移期間７Ａの長さとは必ずしも同じである必要はない。また、転移電圧の絶対値は前半転移期間６Ａおよび後半転移期間７Ａにおいて同じである必要もない。転移期間５を短縮するために、前半転移期間６Ａを後半転移期間７Ａよりも長く設定したり、第１極性電圧３の絶対値を第２極性電圧４の絶対値よりも大きく設定することができる。さらに、転移期間５を短縮するために、後半転移期間７Ａを前半転移期間６Ａよりも長く設定したり、第２極性電圧４の絶対値を第１極性電圧３の絶対値よりも大きく設定することもできる。ここで、第１極性電圧を第１極性電圧の印加期間について積分した積分値と第２極性電圧を第２極性電圧の印加期間について積分した積分値とは、直流成分の残留を防ぐために互いに等しいことが好ましい。【００３１】  図７は、駆動回路ＤＲの第２変形例で得られる動作を示す。図６と同様の構成要素は図７において同一の参照符号で表され、その詳細な説明を省略する。この変形例の駆動回路ＤＲは、２回目の転移期間５における前半転移期間６Ａの間、負極性である第２極性電圧４を印加し、後半転移期間７Ａの間、正極性である第１極性電圧３を印加するように構成される点で相違する。【００３２】  このように、正極性である第１極性電圧３と負極性である第２極性電圧４とを印加する順序を電源回路３４のオンオフごとに入れ替えると、ＯＣＢ液晶表示素子ＰＸのマトリクスアレイによって表示される画像のフリッカをより一層低減することができる。【００３３】  図８は、駆動回路ＤＲの第３変形例で得られる動作を示す。図５と同様の構成要素は図８において同一の参照符号で表され、その詳細な説明を省略する。この変形例の駆動回路ＤＲは、転移期間５の前に配置されたリセット期間１２において液晶分子の配向状態を整えるためのリセット電圧１４を印加するように構成される点で相違する。このリセット期間１２は全体として５００ｍｓ程度の長さである。リセット電圧１４は、実質的に零ボルトである。このように転移期間５の前に配置されたリセット期間１２においてリセット電圧１４を印加すると、液晶分子の配向状態をスプレイ配向からベンド配向へ転移させるための転移能力を向上させることができる。尚、コモン電圧Ｖｃｏｍとして印加されるリセット電圧は白色を表示させる電圧と同等でよい。ただし、画素電極ＰＥおよび対向電極ＣＥ間の電位差を完全にリセットするには、リセット電圧を補助容量Ｃｓの補償電圧Ｖｃｓおよび画素電圧Ｖｓに一致させて画素電圧Ｖｓを最大にするための基準電圧の１／２程度にすることが好ましい。【００３４】  また、リセット期間１２および転移期間５の合計は温度検出器３６によって検出される周囲の温度が常温よりも低くなったときを長く設定するようにすることが好ましい。低温時における転移を確実にすることができる。ちなみに、転移の温度依存性は、周囲温度に対応してリセット期間１２および転移期間５の合計の長さおよび転移電圧の電圧振幅の少なくとも一方を変化させることにより解消できる。【００３５】  図９は、駆動回路ＤＲの第４変形例で得られる動作を示す。図８と同様の構成要素は図９において同一の参照符号で表され、その詳細な説明を省略する。この変形例の駆動回路ＤＲは、前半転移期間６と後半転移期間７との間に配置された耐圧緩和用休止期間１３において液晶分子の配向状態を整えるためのリセット電圧１４である所定電圧をさらに印加するように構成される点で相違する。ここで、耐圧緩和用休止期間１３は１Ｈ〜４Ｈ（Ｈ：水平走査期間）程度の長さである。また、上述のリセット電圧１４は、その一例としてコモン電圧Ｖｃｏｍと、補助容量線Ｃｓｔにかかる電圧Ｖｃｓと、ソース線２６にかかる電圧Ｖｓが全て等価になるような電位（０Ｖを含む）を印加することで実施できる。このように前半転移期間６と後半転移期間７との間に配置された耐圧緩和用休止期間１３においてリセット電圧１４と等価であるような所定電圧を印加すると、駆動回路ＤＲを低耐圧化することができ、液晶分子の配向状態をスプレイ配向からベンド配向へ転移させるための転移能力の信頼性を向上させることができる。【００３６】  図１０は、駆動回路ＤＲの第５変形例で得られる動作を示す。図８と同様の構成要素は図１０において同一の参照符号で表され、その詳細な説明を省略する。この変形例の駆動回路ＤＲは、リセット期間１２におけるリセット電圧１４の印加および転移期間５における転移電圧２の印加をこの順番に３回繰り返すように構成される点で相違する。このようにリセット電圧１４の印加および転移電圧２の印加を複数回繰り返すと、転移電圧５を構成する第１極性電圧３および第２極性電圧４の絶対値を小さくすることができる。【００３７】  図１１は、駆動回路ＤＲの第６変形例で得られる動作を示す。図８と同様の構成要素は図１１において同一の参照符号で表され、その詳細な説明を省略する。この変形例の駆動回路ＤＲは、表示期間８においてバックライト電圧を出力してバックライトＢＬをオンさせるように構成される点で相違する。転移電圧設定部１は、２回目の転移期間４の後であって表示期間８の前に配置される黒表示期間１６において黒表示にするための黒表示電圧１７を各ＯＣＢ液晶表示素子ＰＸに印加する。このように転移電圧を印加した後バックライトが点灯するまでの間、ＯＣＢ液晶表示素���ＰＸに黒表示電圧１７を印加すると、スプレイ配向からベンド配向へ完全に移行していない液晶分子の配向状態をベンド配向へ完全に移行させることができる。【００３８】  図１２は、駆動回路ＤＲの第７変形例で得られる動作を示す。図８と同様の構成要素は図１２において同一の参照符号で表され、その詳細な説明を省略する。この変形例では、転移電圧設定部１よって設定された転移電圧２が転移期間５の間ソースドライバ３８を介してソース線２６に印加され、負極性の電圧ΔＶｃがコントローラ３７の制御で対向電極ドライバ４０を介して対向電極ＣＥに転移期間５および表示期間８の間印加され、全ラインの画素スイッチ（ＴＦＴ）２７がゲート２８制御でリセット期間１２の間においてオンする。【００３９】  図１３は、駆動回路ＤＲの第８変形例で得られる動作を示す。図１２と同様の構成要素は図１３において同一の参照符号で表され、その詳細な説明を省略する。この変形例では、ゲートドライバ３９が複数の画素スイッチ（ＴＦＴ）２７をリセット期間１２において行（ライン）単位に分散して導通させるように構成されている。画素スイッチ（ＴＦＴ）２７が各ライン単位のゲート２８制御でリセット期間１２においてオンになる。このようにリセット期間１２において、ゲート２８制御による画素スイッチ２７のオン期間が複数のライン間で分散されていると、突入電流を低減することができる。尚、複数のゲート線２９は１本ずつ駆動されるが、所定本ずつ駆動されてもよい。【００４０】
図１４は、駆動回路ＤＲの第９変形例で得られる動作を示す。図１２と同様の構成要素は図１４において同一の参照符号で表され、その詳細な説明を省略する。この変形例では、ゲートドライバ３９がリセット期間１２において複数のゲート線２９の全てを一緒に駆動する。これに続く転移期間５で転移電圧設定部１によって設定された転移電圧は、対向電極ドライバ４０を介して対向電極ＣＥへ転移電圧を印加される。画素電極ＰＥには、矩形状のソース電圧が転移期間５において印加される。ＯＣＢ液晶表示素子ＰＸには、対向電極ＣＥに印加された転移用電圧と画素電極ＰＥに印加された矩形状のソース電圧（画素電圧）とを合成した第１極性電圧３Ａと第２極性電圧４Ａとによって構成される転移電圧２が印加される。
図１５は、駆動回路ＤＲの第１０変形例で得られる動作を示す。図１４と同様の構成要素は図１５において同一の参照符号で表され、その詳細な説明を省略する。この変形例では、転移期間５が前半転移期間６と前半転移期間６に続く後半転移期間７とを含んでいる。前半転移期間６から後半転移期間７へ切り替わるタイミングを含む所定の期間３０の間において画素スイッチ（ＴＦＴ）２７がゲート２８制御でオンされる。前半転移期間６においては第１極性電圧３ＢがＯＣＢ液晶表示素子ＰＸに印加され、後半転移期間７においては第２極性電圧４ＢがＯＣＢ液晶表示素子ＰＸに印加される。
【００４１】  期間３０の間において、白表示にするための白表示電圧３２がＯＯＣＢ液晶表示素子ＰＸに印加される。転移期間５の後であって表示期間８の最初の所定の期間３１の間において画素スイッチ（ＴＦＴ）２７がゲート２８制御でオンされる。期間３１の間において、黒表示にするための黒表示電圧３３がＯＣＢ液晶表示素子ＰＸに印加される。【００４２】  図１６は駆動回路ＤＲの第１１変形例で得られる動作を示し、図１７は図１６に示す動作において対向電極に印加される電圧波形と画素電極に印加される電圧波形とを示し、図１８は図１６に示す動作においてドット反転駆動される画素の配置を示す。図１５と同様の構成要素は図１６において同一の参照符号で表され、その詳細な説明を省略する。この変形例では、擾乱駆動がより高い転移確実性を実現するために併せて実施される。擾乱駆動とは、図１７に示すように、転移期間において、対向電極ＣＥにコモン電圧Ｖｃｏｍである転移電圧を印加し、この転移電圧よりも高い周波数を有する擾乱電圧ＶＳ１を画素電極ＰＥに画素電圧として印加してＯＣＢ液晶表示素子ＰＸを駆動する駆動方法をいう。【００４３】  このような擾乱駆動では、図１８に示すように、あるＯＣＢ液晶表示素子ＰＸの画素電極ＰＥに擾乱電圧ＶＳ１を印加し、このＯＣＢ液晶表示素子ＰＸに対して上下左右方向で隣接するＯＣＢ液晶表示素子ＰＸの画素電極ＰＥに擾乱電圧ＶＳ１とは逆極性である擾乱電圧ＶＳ２を印加する形式のドット反転駆動を行うことが好ましい。このドット反転駆動を行った場合、ベンド配向を促進するための核を発生させる横電界を上下左右方向において互いに隣接する液晶表示素子ＰＸ間に得ることができる。【００４４】  図１８に示すように、互いに隣接するＯＣＢ液晶表示素子ＰＸの画素電極ＰＥの端部は、それぞれジグザグ形状であることが好ましい。液晶分子の配向状態はこのジグザグ形状によって得られるツイスト配向を経由してスプレイ配向からベンド配向に転移し易くなる。ベンド配向がジグザグ形状である画素電極ＰＥの端部において形成されると、これがさらに成長して画素電極ＰＥの全体に広がる。【００４５】  また、擾乱電圧ＶＳ１、擾乱電圧ＶＳ２、並びに転移電圧のような交流電圧によって液晶表示素子ＰＸを擾乱駆動すると、転移核が効率的に発生する。擾乱を起こすことで、例え最初に転移核の形成に失敗しても、２回目または３回目の波形によって転移を発生させることができる。【００４６】  図１６においては、互いに隣接するＯＣＢ液晶表示素子ＰＸに印加する転移電圧は、互いに逆の特性を有している。転移電圧設定部１は、前半転移期間６において、第１ＯＣＢ液晶表示素子ＰＸに正極性である第１極性電圧３Ｂを印加させ、第１ＯＣＢ液晶表示素子ＰＸに隣接して配置された第２ＯＣＢ液晶表示素子ＰＸに負極性である第２極性電圧４Ｂを印加させる。第１極性電圧は、対向電極ＣＥにコモン電圧Ｖｃｏｍとして印加される転移電圧と画素電極ＰＥに画素電圧として印加される擾乱電圧ＶＳ１とを加算した電圧になっている。第２極性電圧４Ｂは、対向電極ＣＥにコモン電圧Ｖｃｏｍとして印加される転移電圧を反転した電圧と画素電極ＰＥに画素電圧として印加される擾乱電圧ＶＳ２とを加算した電圧になっている。擾乱電圧ＶＳ１および擾乱電圧ＶＳ２の前半転移期間６における反転回数は、いずれも偶数回の４回になっている。【００４７】  後半転移期間７において転移電圧設定部１は、第１ＯＣＢ液晶表示素子ＰＸに負極性である第２極性電圧４Ｂを印加させ、第２ＯＣＢ液晶表示素子ＰＸに正極性である第１極性電圧３Ｂを印加させる。【００４８】  このように騒乱駆動を併用してＯＣＢ液晶表示素子ＰＸを駆動すると、より高い転移確実性を実現することができる。【００４９】  図１９は、駆動回路ＤＲの第１２変形例で得られる動作を示す。図１６と同様の構成要素は図１９において同一の参照符号で表され、その詳細な説明を省略する。この変形例において、転移電圧設定部１は、前半転移期間６において、第１ＯＣＢ液晶表示素子ＰＸに正極性である第１極性電圧３Ｂを印加させる。第１極性電圧３Ｂは、コモン電圧Ｖｃｏｍとして印加される転移電圧を反転した電圧と擾乱電圧ＶＳ１とを加算した電圧になっている。第１極性電圧３Ｂは、所定の第１正電圧を所定の期間維持した後、所定の第１正電圧よりも小さい所定の第２正電圧に立ち下がり、所定の期間が経過した後、再び所定の第１正電圧に立ち上がり、さらに所定の期間が経過した後、所定の第２正電圧に立ち下がる。【００５０】  転移電圧設定部１は、前半転移期間６において、第１ＯＣＢ液晶表示素子ＰＸに隣接して配置された第２ＯＣＢ液晶表示素子ＰＸに正極性である第１極性電圧３Ｃを印加させる。第１極性電圧３Ｃは、コモン電圧Ｖｃｏｍとして印加される転移電圧を反転した電圧と擾乱電圧ＶＳ２とを加算した電圧になっている。第１極性電圧３Ｃは、第２正電圧を所定の期間維持した後、第１正電圧に立ち上がり、所定の期間が経過した後、再び第２正電圧に立ち下がり、さらに所定の期間が経過した後、第１正電圧に立ち上がる。【００５１】  転移電圧設定部１は、後半転移期間７において、第１ＯＣＢ液晶表示素子ＰＸに負極性である第２極性電圧４Ｂを印加させる。第２極性電圧４Ｂは、コモン電圧Ｖｃｏｍとして印加される転移電圧を反転した電圧と擾乱電圧ＶＳ２とを加算した電圧になっている。第２極性電圧４Ｂは、第１負電圧を所定の期間維持した後第１負電圧よりも大きい第２負電圧に立ち上がり、所定の期間が経過した後、再び第１負電圧に立ち下がり、さらに所定の期間が経過した後、第２負電圧に立ち上がる。【００５２】  転移電圧設定部１は、後半転移期間７において、第１ＯＣＢ液晶表示素子ＰＸに隣接して配置された第２ＯＣＢ液晶表示素子ＰＸに負極性である第２極性電圧４Ｃを印加させる。第２極性電圧４Ｃは、コモン電圧Ｖｃｏｍとして印加される転移電圧を反転した電圧と擾乱電圧ＶＳ１とを加算した電圧になっている。第２極性電圧４Ｃは、第２負電圧を所定の期間維持した後、第１負電圧に立ち下がり、所定の期間が経過した後、再び第２負電圧に立ち上がり、さらに所定の期間が経過した後、第１負電圧に立ち下がる。【００５３】
図２０は、駆動回路ＤＲの第１３変形例で得られる動作を示す。図１９と同様の構成要素は図２０において同一の参照符号で表され、その詳細な説明を省略する。この変形例において、転移電圧設定部１は、前半転移期間６において、正極性である第１極性電圧３Ｄを第１ＯＣＢ液晶表示素子ＰＸに印加させる。第１極性電圧３Ｄは、コモン電圧Ｖcomとして印加される転移電圧を反転した電圧と擾乱電圧ＶＳ１とを加算した電圧になっている。第１極性電圧３Ｄは、第１正電圧を所定の期間維持した後、第１正電圧よりも小さい第２正電圧に立ち下がり、所定の期間が経過した後、再び第１正電圧に立ち上がる。このように図２０に示す例では、第１極性電圧３Ｄに含まれる擾乱電圧ＶＳ１の反転回数は奇数回の３回になっている。
【００５４】  転移電圧設定部１は、前半転移期間６において、第１ＯＣＢ液晶表示素子ＰＸに隣接して配置された第２ＯＣＢ液晶表示素子ＰＸに正極性である第１極性電圧３Ｅを印加する。第１極性電圧３Ｅは、コモン電圧Ｖｃｏｍとして印加される転移電圧を反転した電圧と擾乱電圧ＶＳ２とを加算した電圧になっている。第１極性電圧３Ｅは、第２正電圧を所定の期間維持した後、第１正電圧に立ち上がり、所定の期間が経過した後、再び第２正電圧に立ち下がる。このように図２０に示す例では、第１極性電圧３Ｅに含まれる擾乱電圧ＶＳ２の反転回数は奇数回の３回になっている。【００５５】  転移電圧設定部１は、後半転移期間７において、負の極性を有する第２極性電圧４Ｄを第１ＯＣＢ液晶表示素子ＰＸに印加させる。第２極性電圧４Ｄは、第１負電圧を所定の期間維持した後、第１負電圧よりも大きい第２負電圧に立ち上がり、所定の期間が経過した後、再び第１負電圧に立ち下がる。このように、後半転移期間７における第２極性電圧４Ｄに含まれる擾乱電圧ＶＳ２の初期特性は負特性となっており、前半転移期間６における第１極性電圧３Ｄに含まれる擾乱電圧ＶＳ１の正の初期特性と逆特性になっている。【００５６】  転移電圧設定部１は、後半転移期間７において、第１ＯＣＢ液晶表示素子ＰＸに隣接して配置された第２ＯＣＢ液晶表示素子ＰＸに負極性である第２極性電圧４Ｅを印加させる。第２極性電圧４Ｅは、第２負電圧を所定の期間維持した後、第１負電圧に立ち下がり、所定の期間が経過した後、再び第２負電圧に立ち上がる。このように、後半転移期間７における第２極性電圧４Ｅに含まれる擾乱電圧ＶＳ１の初期特性は正特性となっており、前半転移期間６における第１極性電圧３Ｅに含まれる擾乱電圧ＶＳ２の負の初期特性と逆特性になっている。【００５７】  （第２実施形態）
以下、本発明の第２実施形態に係る液晶表示装置について説明する。【００５８】
図２１は、この液晶表示装置１００Ａの構成を示す。図１と同様の構成要素は図２１において同一の参照符号で表され、その詳細な説明を省略する。この液晶表示装置１００Ａは、フリッカ補正回路１９をさらに備えており、対向電極ドライバ４０の替わりに対向電極ドライバ４０Ａを備えている点で第１実施形態と相違する。フリッカ補正回路１９は、ＯＣＢ液晶表示素子ＰＸのマトリクスアレイによって表示される画像におけるフリッカを補正するためのフリッカ補正電圧を対向電極ドライバ４０Ａを介して各ＯＣＢ液晶表示素子ＰＸに印加する。
【００５９】  図２２は対向電極ドライバ４０Ａの構成を示し、図２３は液晶表示装置１００Ａの動作を示す。転移電圧設定部１は、リセット期間１２において電位ＶＣＦ１または電位ＶＣＦ２を有するリセット電圧１４を対向電極ドライバ４０Ａを介して対向電極ＣＥに印加させ、転移期間５の前半転移期間において負極性の電位ＶＣＬを有する電圧を対向電極ドライバ４０Ａを介して対向電極ＣＥに印加させ、転移期間５の後半転移期間において正極性の電位ＶＣＨを有する電圧を対向電極ドライバ４０Ａを介して対向電極ＣＥに印加させる。【００６０】
コントローラ３７は、転移期間５において矩形状の電圧をソースドライバ３８を介してＯＣＢ液晶表示素子ＰＸに印加させ。その結果、ＯＣＢ液晶表示素子ＰＸには、転移期間５の前半転移期間において正極性である第１極性電圧３Ａが印加され、後半転移期間において負極性である第２極性電圧４Ａが印加される。表示期間８の先頭に配置されたフリッカ補正期間２１において、フリッカ補正電圧ΔＶｃｆが対向電極ドライバ４０Ａから対向電極ＣＥへ印加される。
【００６１】  このようにフリッカ補正電圧２０を対向電極ＣＥに印加するので、対向電極ＣＥの電圧を時間的に変化させることができる。このため、ＯＣＢ液晶表示素子ＰＸのマトリクスアレイによって表示される画像におけるフリッカを相殺することができる。【００６２】  図２４は駆動回路ＤＲの第１変形例に設けられる他のフリッカ補正回路１９Ａおよび他の対向電極ドライバ４０Ｂの構成を示し、図２５は駆動回路ＤＲの第１変形例で得られる動作を示す。図２３と同様の構成要素は図２５において同一の参照符号で表され、その詳細な説明を省略する。【００６３】  フリッカ補正回路１９Ａは、微積分回路４２とアッテネータ４３と加算器４４とを有している。アッテネータ４３は、微積分回路４２からの出力を受け取り、加算器４４へ出力する。加算器４４は、Ｖｃｏｍ基準電圧とアッテネータ４３からの出力とを加算して対向電極ドライバ４０Ｂへ出力する。対向電極ドライバ４０Ｂは、加算器４４からの出力と電圧ＶＣＨと電圧ＶＣＬとに基づいてフリッカ補正電圧を対向電極ＣＥとフリッカ補正回路１９Ａに設けられた微積分回路４２とへ出力する。このように、フリッカ補正回路１９Ａと対向電極ドライバ４０Ｂとによって、フリッカ補正電圧をフィードバック制御する機構が構成されている。【００６４】  対向電極ＣＥには、表示期間８の先頭に配置されたフリッカ補正期間２１において、フリッカ補正電圧２０が印加される。フリッカ補正電圧２０は負極性であり、その絶対値は電圧ΔＶｃの値まで単調に減少している。【００６５】  このようにフリッカ補正電圧を印加することによって、液晶表示素子ＰＸへの直流印加を防止することができる。その結果、フリッカおよび焼き付きを低減することができる。また、液晶表示素子ＰＸへの直流印加が防止されるので、転移における初期化を確実にすることができる。【００６６】  （第３実施形態）
以下、本発明の第３実施形態に係る液晶表示装置について説明する。【００６７】  図２６はこの液晶表示装置１００Ｂの構成を示す。図２１と同様の構成要素は図２６において同一の参照符号で表され、その詳細な説明を省略する。この液晶表示装置１００Ａは、発振部１８の替わりに転移電圧極性記憶回路３５を備えている点で第２実施形態と相違する。転移電圧極性記憶回路３５は、不揮発性メモリによって構成されており、ＯＣＢ液晶表示素子ＰＸに印加する転移電圧の極性を記憶する。【００６８】  図２７は液晶表示装置１００Ｂの動作を示す。図５と同様の構成要素は図２７において同一の参照符号で表され、その詳細な説明を省略する。【００６９】  電源回路３４がオンになると、転移電圧設定部１は転移期間５の間、正極性である第１極性電圧３を各ＯＣＢ液晶表示素子ＰＸに印加する。コントローラ３７は、転移期間５に続く表示期間８の間、同期信号に同期した表示信号に対応する画像をＯＣＢ液晶表示素子ＰＸのマトリクスアレイに表示させるようソースドライバ３８、ゲートドライバ３９および対向電極ドライバ４０を制御する。【００７０】  次に、電源回路３４がオフとなる。所定の期間が経過した後、電源回路３４が再びオンになると、転移電圧設定部１は転移期間５の間、負極性である第２極性電圧４を各ＯＣＢ液晶表示素子ＰＸに印加させる。コントローラ３７は、転移期間５に続く表示期間８の間、同期信号に同期した表示信号に対応する画像をＯＣＢ液晶表示素子ＰＸのマトリクスアレイに表示させるようソースドライバ３８、ゲートドライバ３９および対向電極ドライバ４０を制御する。【００７１】  その後、電源回路３４が再びオフとなる。所定の期間が経過した後、電源回路３４が再びオンになると、転移電圧設定部１は転移期間５の間、正極性である第１極性電圧３を各ＯＣＢ液晶表示素子ＰＸに印加させる。コントローラ３７は、転移期間５に続く表示期間８の間、同期信号に同期した表示信号に対応する画像をＯＣＢ液晶表示素子ＰＸのマトリクスアレイに表示させるようソースドライバ３８、ゲートドライバ３９および対向電極ドライバ４０を制御する。【００７２】  このように、転移電圧設定部１が転移期間５と転移期間５に続く転移期間５とにおいて第１極性電圧３および第２極性電圧４をそれぞれ印加させ、ＯＣＢ液晶表示素子ＰＸのマトリクスアレイが２つの転移期間５の間の表示期間８と２回目の転移期間５に続く表示期間８とにおいて画像を表示する。【００７３】  このため、液晶分子の配向状態をスプレイ配向からベンド配向へ転移させる際に印加される転移電圧が交流化される。従って、装置の電源回路３４を繰り返しオンオフした場合であっても、転移の際に直流電圧がＯＣＢ液晶表示素子ＰＸへ印加されることを防止することができる。その結果、ＯＣＢ液晶表示素子ＰＸのマトリクスアレイによって表示される画像のフリッカを低減することができる。【００７４】  図２８は、駆動回路ＤＲの第１変形例で得られる動作を示す。図１および図２７と同様な構成要素図２８において同一の参照符号で表され、その詳細な説明を省略する。図２８に示すように、各転移期間５の前にリセット期間１２を配置し、リセット電圧１４をこのリセット期間��２において印加してもよい。【００７５】  図２９は駆動回路ＤＲの第２変形例に設けられる他の転移電圧極性記憶回路３５Ａの構成を示し、図３０は駆動回路ＤＲの第２変形例で得られる動作を示す。転移電圧極性記憶回路３５Ａは、揮発性メモリと大容量コンデンサとによって構成されており、転移極性信号に基づいて転移電圧極性切替信号ＴＰＯＬを出力する。【００７６】  電源回路３４がオンになると、転移電圧設定部１は転移期間５の間、液晶分子の配向状態をスプレイ配向からベンド配向へ転移させるために、負極性である第２極性電圧４をＯＣＢ液晶セル２２に印加させる。転移極性信号および転移電圧極性切替信号ＴＰＯＬは、いずれもロー状態になっている。【００７７】  そして、表示期間８の初めに、転移極性信号および転移電圧極性切替信号ＴＰＯＬは、ロー状態からハイ状態に立ち上がる。コントローラ３７は、転移期間５に続く表示期間８の間、同期信号に同期した表示信号に対応する画像をＯＣＢ液晶表示素子ＰＸのマトリクスアレイに表示させるようソースドライバ３８、ゲートドライバ３９および対向電極ドライバ４０を制御する。【００７８】  次に、電源回路３４がオフとなると、転移極性信号はハイ状態からロー状態に立ち下がる。転移電圧極性切替信号ＴＰＯＬは、ハイ状態を継続する。所定の期間が経過した後、電源回路３４が再びオンになると、転移電圧設定部１は、ハイ状態を維持している転移電圧極性切替信号ＴＰＯＬに基づいて、転移期間５の間、正極性である第１極性電圧３をＯＣＢ液晶表示素子ＰＸに印加させる。【００７９】  そして、表示期間８の初めに、転移極性信号がロー状態からハイ状態へ立ち上がる。転移電圧極性切替信号ＴＰＯＬは、転移極性信号のロー状態からハイ状態への立ち上がりに応じて、ハイ状態からロー状態へ立ち下がる。コントローラ３７は、転移期間５に続く表示期間８の間、同期信号に同期した表示信号に対応する画像をＯＣＢ液晶表示素子ＰＸのマトリクスアレイに表示させるようソースドライバ３８、ゲートドライバ３９および対向電極ドライバ４０を制御する。【００８０】  次に、電源回路３４が再びオフとなると、転移極性信号はハイ状態からロー状態に再び立ち下がる。転移電圧極性切替信号ＴＰＯＬは、ロー状態を継続する。所定の期間が経過した後、電源回路３４が再びオンになると、転移電圧設定部１は、ロー状態を維持している転移電圧極性切替信号ＴＰＯＬに基づいて、転移期間５の間、負極性である第２極性電圧４をＯＣＢ液晶表示素子ＰＸに印加させる。【００８１】  そして、次の表示期間８の初めに、転移極性信号がロー状態からハイ状態へ立ち上がる。転移電圧極性切替信号ＴＰＯＬは、転移極性信号のロー状態からハイ状態への立ち上がりに応じて、ロー状態からハイ状態へ立ち上がる。コントローラ３７は、転移期間５に続く表示期間８の間、同期信号に同期した表示信号に対応する画像をＯＣＢ液晶表示素子ＰＸのマトリクスアレイに表示させるようソースドライバ３８、ゲートドライバ３９および対向電極ドライバ４０を制御する。【００８２】  このように、転移電圧極性記憶回路３５Ａから出力される転移電圧極性切替信号ＴＰＯＬに基づいて、ＯＣＢ液晶表示素子ＰＸへ印加する転移電圧���極性を電源のオンオフごとに変更することができる。【００８３】  尚、転移電圧極性記憶回路３５Ａの替わりに不揮発性メモリを使用してもよい。【００８４】  尚、液晶分子の配向状態がスプレイ配向からベンド配向へと転移した後の画像用表示期間においては、ＯＣＢ液晶表示素子ＰＸのマトリクスアレイがドット反転駆動の他に、ライン反転駆動、フレーム反転駆動などのような駆動方法で駆動されてもよく、特に限定されるものでない。【００８５】  また、図１に示す発振部１８および温度検出器３６は、例えば図３１に示すマルチバイブレータとして一体的に構成可能である。【００８６】  このマルチバイブレータでは、抵抗Ｒ５が温度検出器３６として機能する一般的なサーミスタで構成される。この場合、抵抗値が低温時に増加し、高温時に減少する（例えば、Ｂ定数４４８５Ｋの場合、２５℃で１０ｋΩである状態から０℃で３９ｋΩである状態に変化する）。図３２は抵抗Ｒ２，Ｒ３＝１８ｋΩの場合にマルチバイブレータから出力されるクロック信号の例を示し、図３３は抵抗Ｒ２，Ｒ３＝３６ｋΩの場合にマルチバイブレータから出力されるクロック信号の例を示し、図３４はこのマルチバイブレータにおいて温度変化に伴って変化する周波数のクロック信号を示す。このクロック信号は上述したようにリセット電圧および転移電圧の印加開始、並びにリセット期間の長さおよび転移期間の長さを計測する基準となる。転移期間の長さが例えばクロック信号のパルス数＝１００００カウントとすると、クロック信号周期が２５℃で０．１２ｍｓの場合に転移時間＝１．２ｓとなり、クロック信号周期が０℃で０．２４ｍｓの場合に転移期間＝２．４ｓとなる。従って、周波数が温度に対して連続的に変化することにより、温度によって転移期間を連続的に補正することが可能である。この結果、コントローラ３７側のマイクロコンピュータ制御を必要とせずに周囲温度、発振周波数、コントローラ３７の初期設定のみで転移期間を制御することが可能である。
【産業上の利用可能性】
【００８７】  本発明は、ＯＣＢ型液晶によって画像を表示する液晶表示装置に適用することができる。
【図１】
0004528775.tif 000002
【図２】
0004528775.tif 000003
【図３】
0004528775.tif 000004
【図４】
0004528775.tif 000005
【図５】
0004528775.tif 000006
【図６】
0004528775.tif 000007
【図７】
0004528775.tif 000008
【図８】
0004528775.tif 000009
【図９】
0004528775.tif 000010
【図１０】
0004528775.tif 000011
【図１１】
0004528775.tif 000012
【図１２】
0004528775.tif 000013
【図１３】
0004528775.tif 000014
【図１４】
0004528775.tif 000015
【図１５】
0004528775.tif 000016
【図１６】
0004528775.tif 000017
【図１７】
0004528775.tif 000018
【図１８】
0004528775.tif 000019
【図１９】
0004528775.tif 000020
【図２０】
0004528775.tif 000021
【図２１】
0004528775.tif 000022
【図２２】
0004528775.tif 000023
【図２３】
0004528775.tif 000024
【図２４】
0004528775.tif 000025
【図２５】
0004528775.tif 000026
【図２６】
0004528775.tif 000027
【図２７】
0004528775.tif 000028
【図２８】
0004528775.tif 000029
【図２９】
0004528775.tif 000030
【図３０】
0004528775.tif 000031
【図３１】
0004528775.tif 000032
【図３２】
0004528775.tif 000033
【図３３】
0004528775.tif 000034
【図３４】
0004528775.tif 000035
【図３５】
0004528775.tif 000036
【図３６】
0004528775.tif 000037